(57)【要約】【解決手段】軟質性の断熱材Ｐに差し込み固定する固定具１を設ける。固定具１で断熱材Ｐの表面に固定される板状の支持具２を設ける。支持具２に装着されて配線用のケーブルＱを当該支持具２に連結する結束具３を設ける。固定具１は支持具２の中央に装着され、結束具３は支持具２の両側に等間隔に配置される。固定具１は、ねじ状又は釘状又は壁面内部で開脚するアンカー状を成す。【効果】ひとつの電線固定具により、低圧屋内配線と弱電流電線とを関係法規に適した状態で別々に支持することが可能になる。電源用ケーブルや電話、ＴＶ、ＬＡＮ用のケーブルを軟質性の断熱材に確実、簡単に固定することができる。ケーブルのサイズや数の変更にも対応可能である。固定具を除去した跡に残る壁面等の破損を最小限に抑えることができる。【選択図】　図１
2004096924.tif 000002
【特許請求の範囲】
【請求項１】
軟質性の断熱材に差し込み固定する固定具と、該固定具で断熱材の表面に固定される板状の支持具と、該支持具に装着されて配線用のケーブルを当該支持具に連結する結束具とからなることを特徴とする断熱材用電線固定具。
【請求項２】
前記固定具は前記支持具の中央に装着され、前記結束具は支持具の両側に別々に配置された請求項１記載の断熱材用電線固定具。
【請求項３】
前記固定具は、前記支持具に開穿された挿通孔に着脱自在に挿入されるねじ状又は釘状又は壁面内部で開脚するアンカー状を成す請求項１又は２記載の断熱材用電線固定具。
【請求項４】
前記固定具は矩形状を成した支持具の四隅に装着された請求項１記載の断熱材用電線固定具。
【発明の詳細な説明】
【０００１】
【発明の属する技術分野】
本発明はケーブル配線に使用するもので、主に、コンクリート壁面に施工される発泡ポリウレタン等の断熱材の表面にケーブルを固定する断熱材用電線固定具に関する。
【０００２】
【従来の技術】
【特許文献１】実用新案登録第３０４４６４６号公報
【特許文献２】特開平７−２１２９３２号公報
コンリート建築物の外壁内面に使用される断熱材として、現場発泡スプレー工法に用いられている発泡ポリウレタンなどのように、極めて柔らかく凹凸のある材質が使用されることが多い。このような断熱材が施工された壁面や天井面にケーブルを固定する場合、ガムテープ等の接着テープを用いたり、あるいは、ケーブル固定用の木材を断熱材の施工面に予め埋め込み、この木材にステイプルなどで固定する手段などが採られていた。
【０００３】
一方、このような接着テープや木材に代えて断熱材に直接固定する断熱材用電線固定具として、特許文献１に記載された発泡ウレタン等断熱壁用電線支持具が提案されている。この支持具は、略コの字状の抱え込み帯と、その両端に設けた本体柱と、本体柱の先端部に設けた略くの字状の抜け止めとを有するもので、支持具の内側に保持した電線を断熱壁に固定するものである。
【０００４】
また、建築用の配線工事に使用するものではないが、特許文献２に記載された自動車キャビンルーフのワイヤハーネス配索方法が提案されている。この発明に記載されたワイヤハーネスの構造にあっては、ワイヤハーネスの上半部を押え込む押え部と、押え部を下方に伸長した一対の係止脚と、係止脚の脚間を開く方向に突設した係止爪を設けた係止ピンとを用いるもので、係止脚の脚間をすぼめた状態に弾性変位させた姿勢で、係止脚を固定面に差し込んで押え込むことで、固定面内における係止脚の弾性復元力による開脚により、係止爪を固定面に強く喰い込ませて固定する構造になっている。
【０００５】
【発明が解決しようとする課題】
特許文献１の発泡ウレタン等断熱壁用電線支持具によると、支持具の内側に保持した電線を断熱壁に固定する構造になっているため、この支持具で固定可能な電線のサイズは、支持具より小さいものに限定されており、しかも、ひとつの支持具で最適な状態に支持できるケーブルは、構造上１種類に限られていた。この結果、電話用のケーブルやＴＶ、ＬＡＮ用のケーブルなど、サイズの異なるケーブルに適応させるような使用は困難であった。また、低圧屋内配線が弱電流電線又は水管、ガス管若しくはこれらに類するものと接触しないように施設すること（関係法規：電気設備の技術基準とその解釈第１８９条及び内線規定３１０２−７）と規定されているので、これらのケーブルを一まとめにして支持することもできない。
【０００６】
しかも、本体柱の先端部に設けた略くの字状の抜け止めは、発泡ウレタン等の壁面に一旦差し込んでしまうと、その後の差し替えはできない構造になっている。すなわち、壁面に差し込んだ抜け止めを何等かの事情で除去することになった場合は、放射状に広がった抜け止め部分が柔らかい壁面を大きく破壊することになり、支持具を除去した跡が大きく残ることになる。
【０００７】
一方、特許文献２のワイヤハーネスの配索固定構造においても、この配索固定具の内側にケーブルを抱え込む構造は前者と同様なので、配索固定具で固定可能なケーブルのサイズは、配索固定具より小さいものに限定されるといった前者と同じ不都合を有している。しかも、この配索固定具は、自動車の内部に配線する細いケーブルをキャビンのルーフに固定する目的で構成されているので、構造上非力であることは否めず、建築工事で使用される電源用のケーブルやＴＶ、ＬＡＮ用のケーブル等を固定することは困難である。
【０００８】
そこで、本発明は上述の課題を解消すべく創出されたもので、ひとつの電線固定具により、低圧屋内配線と弱電流電線とを関係法規に適した状態で別々に支持することが可能になり、電源用ケーブルや電話、ＴＶ、ＬＡＮ用のケーブルの固定が容易に行え、ケーブルのサイズや数の変更にも対応可能で、固定具を除去した跡に残る壁面の破損を最小限に抑えることができる断熱材用電線固定具の提供を目的とするものである。
【０００９】
【課題を解決するための手段】
上述の目的を達成すべく本発明の第１の手段は、軟質性の断熱材Ｐに差し込み固定する固定具１と、該固定具１で断熱材Ｐの表面に固定される板状の支持具２と、該支持具２に装着されて配線用のケーブルＱを当該支持具２に連結する結束具３とで構成することにある。
【００１０】
第２の手段の固定具１は前記支持具２の中央に装着され、前記結束具３は支持具２の両側に別々に配置される構成を採用している。
【００１１】
第３の手段における固定具１は、前記支持具２に開穿された挿通孔２Ａに着脱自在に挿入されるねじ状又は釘状又は壁面内部で開脚するアンカー状を成している。
【００１２】
第４の手段の固定具１は矩形状を成した支持具の四隅に装着されたことを課題解消のための手段とする。
【００１３】
本発明によると、ケーブルＱは、支持具２に装着された結束具３により、コンセント等の低圧屋内配線と電話、テレビ共聴、ＬＡＮ等の弱電流電線を別々に分けて結束可能でかつ、サイズや本数にかかわらずに結束される。また、結束具３を介してケーブルＱを支持した荷重が支持具２に分散され、固定具１に集中しないので、固定具１のみを使用した状態に比べて強力で安定した固定力を得ることができる。更に、結束具３を差し込んだ跡は、略点状に残るのみとなる。
【００１４】
【発明の実施の形態】
以下、図面を参照して本発明の実施の形態を詳細に説明する。本発明固定具の基本構成は、固定具１、支持具２、結束具３から成る。
【００１５】
固定具１は、軟質性の断熱材Ｐに差し込み固定するもので、釘状又はねじ状又は壁面内部で開脚するアンカー状を成す。図１及び図２に示す固定具１は釘状を成している。この固定具１の側面には、抜け止め用の凹凸１Ｃを設けて断熱材Ｐとの摩擦抵抗を高めている。このような釘状の固定具１を使用する場合は、固定具１を支持具２の片面に予め固着して、これらを一体にすることも可能である（図３参照）。
【００１６】
図４に示す固定具１は、ドライバーＳ等で締め付けるねじ状を成し、支持具２に開穿した挿通孔２Ａにねじ状の固定具１を挿入して断熱材Ｐにねじ止めする。この場合、ねじ山が大きくなる程、固定力を高めることができる（図５参照）。
【００１７】
図６に示す固定具１は、壁面内部で開脚するアンカー状を成している。この固定具１によると、まず挿通孔２Ａを通して断熱材Ｐの内部に固定具１を挿入する。次に、この固定具１の軸部に、拡開用ねじ１Ａをハンマー等で押し込み、固定具１先端の拡開部１Ｂを強制的に押し開くことで、断熱材Ｐへの固定力を増すことができる（図７参照）。このタイプの固定具１を取り外す場合は、固定具１から拡開用ねじ１Ａを抜き取った後、固定具１を支持具２の挿通孔２Ａから引き抜くことで、拡開部１Ｂが元の閉じた状態になって抜き取ることができる。抜き取った跡は、略点状の孔が残るのみとなる。
【００１８】
図８、図９に示す固定具１は、矩形状を成した支持具２の四隅に装着されている。これらの固定具１は、軸部形状が略楔状を成し（図８参照）、あるいは断面が略Ｌ字状を成している（図９参照）。このような固定具１を、それぞれ支持具２の四隅に固着することで、支持具２の固定力を強化し、安定させることができる。図８及び図９に示す固定具１の側面には、断熱材Ｐとの係合力を高める鋸歯状の係止突部１Ｄを設けてある。
【００１９】
図１０及び図１１に示す固定具１は、断面Ｌ字形状を成している。この断面Ｌ字形状を成した固定具１を、それぞれ矩形状を成した支持具２四隅の側縁に沿って装着することで、支持具２の固定力を強化することができる。また、固定具１の側面には略錨形状の係止突部１Ｄを設けてある。この係止突部１Ｄは、固定具１の長手側縁に沿って設けられ、固定具１を抜き取った跡が略Ｌ字形状になる位置に配置している。こうすることで、固定具１による４箇所の跡が残っても壁面の破損を最小限に抑えることができる。
【００２０】
支持具２は、断熱材Ｐの表面に固定される板状を成す部材で、前記固定具１を断熱材Ｐに挿入した固定力によって断熱材Ｐの表面に圧着される。図示例の支持具２には、挿通孔２Ａを設けたタイプと固定具１を支持具２に固着したタイプとを示している。図１に示す支持具２は挿通孔２Ａを設けたタイプを示し、この挿通孔２Ａを通して固定具１を固定する。図３に示す支持具２は、支持具２に固定具１を固着したタイプを示している。支持具２の材質は、プラスチック材、金属材等を問わないが、軽量で硬質な材質が好ましい。また、固定具１を支持具２に固着する際に、プラスチック材を用いて固定具１と支持具２とを一体に成型することも可能である。板体状の支持具２を断熱材Ｐの表面に当てた状態で固定具１を断熱材Ｐに差し込んで固定すると、後述する結束具３を介してケーブルＱを支持した荷重が支持具２に分散され、この荷重が固定具１に集中しないので、固定具１のみを使用した状態に比べて強力で安定した固定力を得ることができる。
【００２１】
結束具３は、配線用のケーブルＱを支持具２に連結する紐状又は線状の部材である。この支持具２は、バインド線や針金等の線状材を使用することで、ケーブルＱを自由に結束することができる（図２、図９、図１１参照）。図示の結束具３は、支持具２に開穿した取付孔２Ｂに結束具３を通して支持具２に連結している。このとき、固定具１を支持具２の中央に装着し、結束具３が固定具１の左右両側に等間隔で一対配置することで、コンセント等の低圧屋内配線と電話、テレビ共聴、ＬＡＮ等の弱電流電線を別々に分けて支持することができる（図１、図３参照）。また、図示例の他、支持具２板面の自由な位置に結束具３を装着することも可能である。
【００２２】
【発明の効果】
本発明は、上述の如く構成したことにより、当初の目的を達成する。
【００２３】
すなわち、軟質性の断熱材Ｐに差し込み固定する固定具１と、該固定具１で断熱材Ｐの表面に固定される板状の支持具２とを用いて固定しているので、固定具１の差し込み固定力と、支持具２の壁面係止力との相乗作用で柔軟な断熱材Ｐの表面でもケーブルＱを強固に固定することが可能になった。
【００２４】
また、支持具２に連結した結束具３にて配線用のケーブルＱを結束するので、ケーブルＱのサイズや本数にかかわらずに結束することができ、従来の断熱壁用電線支持具やワイヤハーネス用固定具のように、固定可能な電線のサイズが支持具やワイヤハーネス用固定具より小さい径に限定されるなどといった不都合は解消された。また、ひとつの電線固定具で低圧屋内配線と弱電流電線とを同時に支持することも可能になった。
【００２５】
しかも、固定具１は前記支持具２の中央に装着され、前記結束具３は支持具２の両側に別々に配置される構成を採用しているので、コンセント等の低圧屋内配線と電話、テレビ共聴、ＬＡＮ等の弱電流電線を、関係法規に適した状態で別々に配置することができ、しかも固定具１に対してバランス良く配置することができる。
【００２６】
更に固定具１は、前記支持具２に開穿された挿通孔２Ａに着脱自在に挿入される釘状又はねじ状又は壁面内部で開脚するアンカー状を成しているので、結束具３を差し込んだ跡は、略点状に残るものであり、配線の変更跡や施工跡等に残る壁面の破損を最小限に抑えることができる。
【００２７】
また、固定具１が矩形状を成した支持具２の四隅に装着されているから、強力な固定力で安定した状態を保つことが可能である。
【００２８】
このように本発明によると、ひとつの電線固定具により、低圧屋内配線と弱電流電線とを関係法規に適した状態で別々に支持することが可能になり、電源用ケーブルや電話、ＴＶ、ＬＡＮ用のケーブルを軟質性の断熱材に確実、簡単に固定が行え、ケーブルのサイズや数の変更にも対応可能で、しかも、配線の変更跡や施工跡等に残る壁面等の破損を最小限に抑えることができるなどといった有益な種々の効果を奏するものである。
【図面の簡単な説明】
【図１】本発明の一実施例を示す分解斜視図。
【図２】本発明の使用状態を示す側断面図。
【図３】本発明の他の実施例を示す斜視図。
【図４】本発明における固定具の他の実施例を示す斜視図。
【図５】図４に示す固定具の使用状態を示す側断面図。
【図６】本発明における固定具の他の実施例を示す斜視図。
【図７】図６に示す固定具の使用状態を示す側断面図。
【図８】本発明の他の実施例を示す斜視図。
【図９】図８に示す実施例の使用状態を示す平断面図。
【図１０】本発明の他の実施例を示す斜視図。
【図１１】図１０に示す実施例の使用状態を示す平断面図。
【符号の説明】
Ｐ　断熱材
Ｑ　ケーブル
Ｓ　ドライバー
１　固定具　　　　　１Ａ　拡開用ねじ
１Ｂ　拡開部
１Ｃ　凹凸
１Ｄ　係止突部
２　支持具　　　　　２Ａ　挿通孔
２Ｂ　取付孔
３　結束具
【図１】
2004096924.tif 000003
【図２】
2004096924.tif 000004
【図３】
2004096924.tif 000005
【図４】
2004096924.tif 000006
【図５】
2004096924.tif 000007
【図６】
2004096924.tif 000008
【図７】
2004096924.tif 000009
【図８】
2004096924.tif 000010
【図９】
2004096924.tif 000011
【図１０】
2004096924.tif 000012
【図１１】
2004096924.tif 000013